(57)【要約】【課題】木材同士の連結作業が容易で且つ木材端部に割れが生じにくい連結構造の提供。【解決手段】  縦材と横材、縦材と斜材、又は斜材同士を接合すべく、一方部材に止める付属金物と、他方部材に止める基本金物から連結金物を構成し、二部材の突き合わせ箇所に連結金物を収容し、一方部材の側面のピン穴から基本金物と付属金物を貫通してロックピンを打ち込む木造建築用連結構造であり、基本金物は平面視コ字板で、底側に付属金物を位置決めするストッパーを有し、他方部材にはコ字板の中央片を止める止め穴をあけ、コ字板開口方向とストッパー反対方向の二方向を、付属金物を挿入可能な範囲とし、付属金物はコ字板に嵌るブロックで、一方部材の端面幅中央部に収容溝を設け、収容溝の底にラグスクリューを埋め、収容溝の奥側幅中央部に付属金物を収容しラグスクリューに止め、連結用のロックピンよりも一方部材の側面のピン穴を大径にあける。【選択図】      図５
2006022566.tif 000002
【特許請求の範囲】
【請求項１】
縦材（２）と横材（４）、縦材と斜材（２９）、又は斜材同士の二部材を接合するために、接合用の端面を有する一方の部材に固定する付属金物（５）と、他方の部材に固定する基本金物（３）とから連結金物（１）を構成し、二部材の突き合わせ箇所に連結金物（１）を一組収容すると共に、接合用の端面を有する一方の部材の側面のピン穴（２１）から基本金物と付属金物を貫通する状態でロックピン（１４）を打ち込んで、基本金物（３）と付属金物（５）を連結する木造建築用連結構造であって、
基本金物（３）は平面視してコ字板であって、その底側に付属金物（５）を位置決めするストッパー（１０）を有し、他方の部材には、コ字板の中央片（６）を止める止め穴（８）をあけ、コ字板の開口方向とストッパーの反対方向からなる二方向の範囲を、付属金物を挿入可能な挿入範囲（Ｒ）とし、
付属金物（５）はコ字板に嵌り込む内側体（Ｕ）であって、一方の部材には、その端面の横幅中央部に収容溝（１７）を形成すると共に、収容溝の底からラグスクリュー（１９）を埋設し、収容溝の奥側の横幅中央部に付属金物（５）を収容すると共にラグスクリュー（１９）にネジ止めし、一方の部材の側面には、基本金物（３）と付属金物（５）を連結するロックピン（１４）を打ち込むピン穴（２１）を、そのロックピンよりも大径にあけてあることを特徴とする木造建築用連結構造。
【請求項２】
縦材（２）と横材（４）、縦材と斜材（２９）、又は斜材同士の二部材を接合するために、接合用の端面を有する一方の部材に固定する付属金物（５）と、他方の部材に固定する基本金物（３）とから連結金物（１）を構成し、二部材の突き合わせ箇所に連結金物（１）を一組収容すると共に、接合用の端面を有する一方の部材の側面のピン穴（２１）から基本金物と付属金物を貫通する状態でロックピン（１４）を打ち込んで、基本金物（３）と付属金物（５）を連結する木造建築用連結構造であって、
基本金物（３）は内側体（Ｕ）であって、その下端部には付属金物（５）を位置決めするストッパー（１０）を突出し、他方の部材には、内側体（Ｕ）を止める止め穴（８）をあけ、他方の部材に対する内側体（Ｕ）の突出方向とストッパーの反対方向からなる二方向の範囲を、付属金物（５）を挿入可能な挿入範囲（Ｒ）とし、
付属金物（５）は平面視してコ字板で、その内部に内側体（Ｕ）を嵌め込むものであって、一方の部材には、その端面横幅中央部に収容溝（１７）を形成すると共に、収容溝の底からラグスクリュー（１９）を埋設し、収容溝の奥側の横幅中央部に付属金物（５）を収容すると共にコ字板の中央片（６）をラグスクリュー（１９）にネジ止めし、一方の部材の側面には、基本金物（３）と付属金物（５）を連結するロックピン（１４）を打ち込むピン穴（２１）を、そのロックピンよりも大径にあけてあることを特徴とする木造建築用連結構造。
【請求項３】
縦材（２）と横材（４）を接合するために、横材（４）端面に固定する付属金物（５）と、縦材（２）側面に固定する基本金物（３）とから連結金物（１）を構成し、二部材の突き合わせ箇所に連結金物（１）を複数組上下に離して収容すると共に、横材（４）の側面のピン穴（２１）から基本金物と付属金物を貫通する状態でロックピン（１４）を打ち込んで、基本金物（３）と付属金物（５）を連結する木造建築用連結構造であって、
基本金物（３）は平面視してコ字板であって、その底側に付属金物（５）を位置決めするストッパー（１０）を有し、縦材（２）には、コ字板の中央片（６）を止める止め穴（８）を、連結金物の組数に対応して上下に離してあけ、コ字板の開口方向とストッパーの反対方向からなる二方向の範囲を、付属金物を挿入可能な挿入範囲（Ｒ）とし、
付属金物（５）はコ字板に嵌り込む内側体（Ｕ）であって、横材（４）には、その端面の横幅中央部に収容溝（１７）を上下に沿って形成すると共に、収容溝の底からラグスクリュー（１９）を、連結金物の組数に対応して上下に離して埋設し、収容溝の奥側の横幅中央部に付属金物（５）を連結金物の組数に対応して上下に離して収容すると共にラグスクリュー（１９）にネジ止めし、横材（４）の側面には、基本金物（３）と付属金物（５）を連結するロックピン（１４）を打ち込むピン穴（２１）を、そのロックピンよりも大径にあけてあることを特徴とする木造建築用連結構造。
【請求項４】
縦材（２）と横材（４）を接合するために、横材（４）端面に固定する付属金物（５）と、縦材（２）側面に固定する基本金物（３）とから連結金物（１）を構成し、二部材の突き合わせ箇所に連結金物（１）を複数組上下に離して収容すると共に、横材（４）の側面のピン穴（２１）から基本金物と付属金物を貫通する状態でロックピン（１４）を打ち込んで、基本金物（３）と付属金物（５）を連結する木造建築用連結構造であって、
基本金物（３）は内側体（Ｕ）であって、その下端部には付属金物（５）を位置決めするストッパー（１０）を突出し、縦材（２）には、内側体（Ｕ）を止める止め穴（８）を、連結金物の組数に対応して上下に離してあけ、縦材（２）に対する内側体（Ｕ）の突出方向とストッパーの反対方向からなる二方向の範囲を、付属金物（５）を挿入可能な挿入範囲（Ｒ）とし、
付属金物（５）は平面視してコ字板で、その内部に内側体（Ｕ）を嵌め込むものであって、横材（４）には、その端面横幅中央部に収容溝（１７）を上下に沿って形成すると共に、収容溝の底からラグスクリュー（１９）を連結金物の組数に対応して上下に離して埋設し、収容溝の奥側の横幅中央部に付属金物（５）を連結金物の組数に対応して上下に離して収容すると共にコ字板の中央片（６）をラグスクリュー（１９）にネジ止めし、横材（４）の側面には、基本金物（３）と付属金物（５）を連結するロックピン（１４）を打ち込むピン穴（２１）を、そのロックピンよりも大径にあけてあることを特徴とする木造建築用連結構造。
【請求項５】
縦材（２）と横材（４）を接合するために、横材（４）端面に固定する付属金物（５）と、縦材（２）側面に固定する基本金物（３）とから連結金物（１）を構成し、二部材の突き合わせ箇所に連結金物（１）を複数組、上下に離して収容すると共に、接合用の端面を有する一方の部材の側面のピン穴（２１）から基本金物と付属金物を貫通する状態でロックピン（１４）を打ち込んで、基本金物（３）と付属金物（５）を連結する木造建築用連結構造であって、
基本金物（３）は平面視してコ字板であって、その底側に付属金物（５）を位置決めするストッパー（１０）を有し、縦材（２）には、コ字板の中央片（６）を止める止め穴（８）を連結金物の組数に対応して上下に離してあけ、上下に離して止めた複数の基本金物のコ字板の開口方向を、付属金物を挿入可能な挿入範囲（Ｒ）とし、
付属金物（５）はコ字板に嵌り込む内側体（Ｕ）であって、横材（４）には、その端面の横幅中央部に収容溝（１７）を、連結金物の組数に対応して上下に離して形成すると共に、収容溝の間を非切削領域（４０）とし、各収容溝の底からラグスクリュー（１９）を埋設し、各収容溝の奥側の横幅中央部に付属金物（５）を収容すると共にラグスクリュー（１９）にネジ止めし、非切削領域（４０）を縦材（２）に付いた上下の基本金物の間に差し込んで基本金物に付属金物を嵌め込み、横材（４）の側面には、基本金物（３）と付属金物（５）を連結するロックピン（１４）を打ち込むピン穴（２１）を、そのロックピンよりも大径にあけてあることを特徴とする木造建築用連結構造。
【請求項６】
縦材（２）と横材（４）を接合するために、横材（４）端面に固定する付属金物（５）と、縦材（２）側面に固定する基本金物（３）とから連結金物（１）を構成し、二部材の突き合わせ箇所に連結金物（１）を複数組、上下に離して収容すると共に、横材（４）の側面のピン穴（２１）から基本金物と付属金物を貫通する状態でロックピン（１４）を打ち込んで、基本金物（３）と付属金物（５）を連結する木造建築用連結構造であって、
基本金物（３）は内側体（Ｕ）であって、その下端部には付属金物（５）を位置決めするストッパー（１０）を突出し、縦材（２）には、内側体（Ｕ）を止める止め穴（８）を、連結金物の組数に対応して上下に離してあけ、上下に離して止めた複数の内側体（Ｕ）の突出方向を、付属金物を挿入可能な挿入範囲（Ｒ）とし、
付属金物（５）は平面視してコ字板で、その内部に内側体（Ｕ）を嵌め込むものであって、横材（４）には、その端面横幅中央部に収容溝（１７）を、連結金物の組数に対応して上下に離して形成すると共に、収容溝の間を非切削領域（４０）とし、各収容溝の底からラグスクリュー（１９）を埋設し、各収容溝の奥側の横幅中央部に付属金物（５）を収容すると共にコ字板の中央片（６）をラグスクリュー（１９）にネジ止めし、非切削領域（４０）を縦材（２）に付いた上下の基本金物の間に差し込んで基本金物に付属金物を嵌め込み、横材（４）の側面には、基本金物（３）と付属金物（５）を連結するロックピン（１４）を打ち込むピン穴（２１）を、そのロックピンよりも大径にあけてあることを特徴とする木造建築用連結構造。
【請求項７】
内側体として、平面視してコ字板を用いることを特徴とすることを請求項１〜６のうち何れか一項に記載の木造建築用連結構造。
【請求項８】
ラグスクリュー（１９）の代わりに、シャフト（２３）を用い、シャフトの手前側には雌ネジをあけると共に奥側には貫通穴（２４）をあけ、貫通穴に一方の部材の側面からドリフトピン（２６）を打ち込んで止めることを特徴とする請求項１〜７のうち何れか一項に記載の木造建築用連結構造。
【請求項９】
基本金物（３）のストッパー（１０）が収容溝（１７）の横幅方向に延びる棒状であって、付属金物（５）には、ストッパー（１０）に嵌り合う凹部（３２）を設けてあることを特徴とする請求項１、２、３、４、７又は８記載の木造建築用連結構造。
【請求項１０】
連結金物（１）で縦材（２）と横材（４）を連結する場合であって、基本金物（３）の上部には収容溝（１７）の横幅方向に貫通するＵ字状の受け穴（３１）をあけ、付属金物（５）の上部には受け穴に係止する係止ピン（３４）を打ち込み、係止ピン（３４）をその全長に亘って収容溝（１７）内に収容することを特徴とする請求項１、２、３、４、７、８又は９記載の木造建築用連結構造。
【発明の詳細な説明】
【技術分野】
【０００１】
本発明は、木造建築物を剛接合する連結金物に関する。
【背景技術】
【０００２】
連結金物を用いた木造建築物としては、剛接合ではないが、主幹部材の側面に平面視コ字状の連結金物を固定し、一方、結合部材の端面に連結金物を受け入れる係合溝を設け、連結金物の上方から結合部材を落とし込むことにより、連結金物の上部に有するＵ字状の受け孔に、結合部材の幅方向に挿入したピンを落とし込み、結合部材の側面から別のピンを、連結金物を貫通する状態で挿入するものが知られている（特許文献１）。
【特許文献１】特開平１０−３３１２６０号公報（図１、段落番号００１２）
【０００３】
また、同様にピンを打ち込むものとしては、下記の非特許文献１のものもある。
【非特許文献１】株式会社カネシン、製品案内、プレセッター、平成16年6月25日検索、インターネット＜URL:http://www.kaneshin.co.jp/kaneshin/PRODUCTS_INFOMATION/product8/8-01.html#top＞
【発明の開示】
【発明が解決しようとする課題】
【０００４】
上述した連結金物は、木材同士の連結作業が容易であることから重宝されている。ところで、上述したものは、いずれもピンを挿入するために結合部材に抜穴をあけている。この抜穴に関する詳細な記述は文献中にはないが、組立時のガタツキを極力抑えるために、ピンと抜穴の外径は同一か、抜穴の方を小さくしてピンを打ち込むようにするのが一般的である。
【０００５】
ところが、ピンと抜穴との関係をこのようにしてあると、木材同士を連結した場合に、荷重がピンを介して結合部材のピン用の抜穴にかかり、ピン用の抜穴と端面との距離が短いこともあって、結合部材に割れが生じ、木材の強度が低下することがある。
【０００６】
本発明は上記実情を考慮して開発されたもので、その目的とするところは、木材同士の連結作業が少なくとも従来と同等に容易で且つ木材の端部に割れが生じにくい連結構造を提供することである。
【課題を解決するための手段】
【０００７】
本発明のうち請求項１と２の発明は、縦材と横材、縦材と斜材、又は斜材同士の二部材を接合するために、接合用の端面を有する一方の部材に固定する付属金物と、他方の部材に固定する基本金物とから連結金物を構成し、二部材の突き合わせ箇所に連結金物を一組収容すると共に、接合用の端面を有する一方の部材の側面のピン穴から基本金物と付属金物を貫通する状態でロックピンを打ち込んで、基本金物と付属金物を連結する木造建築用連結構造を前提とする。
【０００８】
また、請求項１と２の発明は何れも、一方の部材には、その端面の横幅中央部に収容溝を形成すると共に、収容溝の底からラグスクリューを埋設し、収容溝の奥側の横幅中央部に付属金物を収容すると共にラグスクリューにネジ止めし、一方の部材の側面には、基本金物と付属金物を連結するロックピンを打ち込むピン穴を、そのロックピンよりも大径にあけてあることを共通の特徴とする。
【０００９】
また、請求項１の発明は、基本金物は平面視してコ字板であって、その底側に付属金物を位置決めするストッパーを有し、他方の部材には、コ字板の中央片を止める止め穴をあけ、コ字板の開口方向とストッパーの反対方向からなる二方向の範囲を、付属金物を挿入可能な挿入範囲とし、付属金物はコ字板に嵌り込む内側体であることを固有の特徴とする。
【００１０】
請求項１の発明では、基本金物がコ字板で、付属金物が内側体であったが、その逆であっても良い。即ち、請求項２の発明は、基本金物は内側体であって、その下端部には付属金物を位置決めするストッパーを突出し、他方の部材には、内側体を止める止め穴をあけ、他方の部材に対する内側体の突出方向とストッパーの反対方向からなる二方向の範囲を、付属金物を挿入可能な挿入範囲とし、付属金物は平面視してコ字板で、その内部に内側体を嵌め込むものであることを固有の特徴とする。
【００１１】
上述した請求項１と２の発明は、縦材と横材、縦材と斜材、又は斜材同士の二部材を接合するために、連結金物を一組用いるものを前提としていたが、横材の端面の高さ幅が大きい場合には、請求項３〜６の発明のように、縦材側面と横材端面を接合するために、連結金物を複数組上下に離して用いるものを前提としても良い。
【００１２】
そして、請求項３と４の発明は、横材には、その端面の横幅中央部に収容溝を上下に沿って形成すると共に、収容溝の底からラグスクリューを、連結金物の組数に対応して上下に離して埋設し、収容溝の奥側の横幅中央部に付属金物を連結金物の組数に対応して上下に離して収容すると共にラグスクリューにネジ止めし、横材の側面には、基本金物と付属金物を連結するロックピンを打ち込むピン穴を、そのロックピンよりも大径にあけてあることを共通の特徴とする。
【００１３】
また、請求項３の発明は、基本金物は平面視してコ字板であって、その底側に付属金物を位置決めするストッパーを有し、縦材には、コ字板の中央片を止める止め穴を、連結金物の組数に対応して上下に離してあけ、コ字板の開口方向とストッパーの反対方向からなる二方向の範囲を、付属金物を挿入可能な挿入範囲とし、付属金物はコ字板に嵌り込む内側体であることを固有の特徴とする。
【００１４】
請求項３の発明では、基本金物がコ字板で、付属金物が内側体であったが、その逆であっても良い。即ち、請求項４の発明は、基本金物は内側体であって、その下端部には付属金物を位置決めするストッパーを突出し、縦材には、内側体を止める止め穴を、連結金物の組数に対応して上下に離してあけ、縦材に対する内側体の突出方向とストッパーの反対方向からなる二方向の範囲を、付属金物を挿入可能な挿入範囲とし、付属金物は平面視してコ字板で、その内部に内側体を嵌め込むものであることを固有の特徴とする。
【００１５】
上述した請求項３と４の発明では、横材端面に収容溝を上下に沿って形成し、その収容溝に付属金物を上下に離して収容するものであったが、収容溝を上下に離して形成し、各収容溝に付属金物を収容するものであっても良い。即ち、請求項５と６の発明は、横材には、その端面の横幅中央部に収容溝を、連結金物の組数に対応して上下に離して形成すると共に、収容溝の間を非切削領域とし、各収容溝の底からラグスクリューを埋設し、各収容溝の奥側の横幅中央部に付属金物を収容すると共にラグスクリューにネジ止めし、非切削領域を縦材に付いた上下の基本金物の間に差し込んで基本金物に付属金物を嵌め込み、横材の側面には、基本金物と付属金物を連結するロックピンを打ち込むピン穴を、そのロックピンよりも大径にあけてあることを共通の特徴とする。
【００１６】
また、請求項５の発明は、基本金物は平面視してコ字板であって、その底側に付属金物を位置決めするストッパーを有し、縦材には、コ字板の中央片を止める止め穴を連結金物の組数に対応して上下に離してあけ、上下に離して止めた複数の基本金物のコ字板の開口方向を、付属金物を挿入可能な挿入範囲とし、付属金物はコ字板に嵌り込む内側体であることを固有の特徴とする。
【００１７】
請求項５の発明では、基本金物がコ字板で、付属金物が内側体であったが、その逆であっても良い。即ち、請求項６の発明は、基本金物は内側体であって、その下端部には付属金物を位置決めするストッパーを突出し、縦材には、内側体を止める止め穴を、連結金物の組数に対応して上下に離してあけ、上下に離して止めた複数の内側体の突出方向を、付属金物を挿入可能な挿入範囲とし、付属金物は平面視してコ字板で、その内部に内側体を嵌め込むものであることを固有の特徴とする。
【００１８】
内側体は、コ字板の内部に嵌り込んで、木材とロックピンで止められることができる形状であれば問題ない。例えばブロックであっても良いが、請求項７の発明のように、内側体として、平面視してコ字板を用いることが望ましい。このようにすれば、ブロックに比べると、製造費が安くなる。
【００１９】
請求項８の発明は、ラグスクリューの代わりに、シャフトを用い、シャフトの手前側には雌ネジをあけると共に奥側には貫通穴をあけ、貫通穴に一方の部材の側面からドリフトピンを打ち込んで止めることを特徴とする。
【００２０】
請求項９の発明は、基本金物のストッパーが収容溝の横幅方向に延びる棒状であって、付属金物には、ストッパーに嵌り合う凹部を設けてあることを特徴とする。なお、請求項９の発明を、請求項５と６の発明に適用できるか否かが問題となる。縦材の上下に離して止めた基本金物の間隔と、横材端面の非切削領域の高さ幅がほぼ一致する場合、横材は前述したように横方向に動かして、上下の基本金物の間に非切削領域を挿入する関係上、上述した適用はできない。但し、上下に離して止めた基本金物の間隔よりも、横材端面の非切削領域の高さ幅が狭い場合には、上下の基本金物の間に非切削領域を挿入する際に、その狭い分だけ上下方向の余裕があるので、その余裕分を利用すれば、ストッパーと凹部を嵌め込むことが可能となるので、上述した適用ができると言える。
【００２１】
請求項１０の発明は、連結金物で縦材と横材を連結する場合であって、基本金物の上部には収容溝の横幅方向に貫通するＵ字状の受け穴をあけ、付属金物の上部には受け穴に係止する係止ピンを打ち込み、係止ピンをその全長に亘って収容溝内に収容することを特徴とする。なお、請求項１０の発明も、請求項５と６の発明に適用できるか否かが問題となるが、請求項９の発明と同じことが言える。
【発明の効果】
【００２２】
請求項１の発明であれば、一方の部材に固定した付属金物と、他方の部材に固定した基本金物とが嵌り合ってロックピンで連結するので、剛接合となる。また、他方の部材に固定した基本金物のコ字板の開口方向とストッパーの反対方向からなる二方向の範囲を付属金物の挿入可能な範囲としてあるので、挿入範囲が広くて差し込み易く、基本金物と付属金物の相対的な位置関係が多少ずれていても、最後にロックピンを打ち込むことによりその位置関係が修復されて、正確な連結状態となるので、連結作業が容易になる。さらに、一方の部材の側面にあけるピン穴を、ロックピンよりも大径にあけてあるので、ロックピンとピン穴が干渉せず、それゆえ、ロックピンを打ち込んでも木材端部の割れが発生しないという優れた利点がある。また、ラグスクリューによって付属金物を一方の部材の収容溝の奥行き方向に止めてあるので、一方の部材の横幅方向には連結構造の荷重がかからず、木材端部の割れが従来に比べて発生しにくいと言える。請求項２の発明も同様の効果が得られる。
【００２３】
請求項３、４の発明であれば、木材の高さ幅が大きい場合に適用でき、請求項１，２と同等の効果が得られる。
【００２４】
請求項５、６の発明であれば、木材の高さ幅が大きい場合にも適用でき、請求項１，２と同等の効果が得られる。但し、連結作業に関しては、請求項１、２よりも若干、劣る。というのも、上下に離して縦材に付けた複数の基本金物に、横材端面の付属金物を嵌め込むために、横材を降ろして横材端面の収容溝を基本金物に差し込もうとすると、横材端面の非切削領域が基本金物に干渉するので、嵌め込むことができない。しかし、縦材に対する基本金物の突出方向である横方向を、付属金物を挿入可能な挿入範囲（挿入方向）としてあるので、横材をその長手方向に沿って動かして、非切削領域を上下の基本金物の間に差し込んで、基本金物に付属金物を嵌め込むことができる。また、非切削領域を設けてあるので、横材端面に収容溝を上下に沿って形成したもの（非切削領域のないもの）に比べ、横材の強度に優れている。
【００２５】
請求項７の発明であれば、内側体として、平面視してコ字板を用いるので、ブロックに比べると、製造費が安くなる。
【００２６】
また、請求項８の発明も請求項１〜６の発明と同様の効果がある。但し、ラグスクリューの代わりにシャフトを用い、そのシャフトをドリフトピンを用いて一方の部材に止めてあるので、連結時の荷重がドリフトピンを介して一方の部材にかかるので、請求項１〜６の発明に比べれば、木材端部の割れが少し発生しやすくなる。
【００２７】
請求項９の発明であれば、ストッパーと凹部が嵌り合って基本金物と付属金物の相対的な位置関係が正確に位置決めされるので、ロックピンを軽い力で打ち込むことができる。
【００２８】
請求項１０の発明は、縦材に固定された基本金物に、収容溝を合わせて上方から付属金物付きの横材を落とし込めば、付属金物に打ち込まれた係止ピンがその全長に亘って収容溝内に収容されているので、収容溝内の付属金物に基本金物を挿入する際に係止ピンが邪魔にならず、そのまま基本金物のＵ字状の受け穴に係止ピンが引っ掛かって位置決めされるので、位置決め作業が容易に行える。
【発明を実施するための最良の形態】
【００２９】
本発明の木造建築用連結構造の第一例には図３又は図７に示すように連結金物１を使用する。連結金物１は、縦材２の側面に固定する基本金物３と、横材４の端面に固定する付属金物５からなる。
【００３０】
基本金物３は図８に示すように、平面視してコ字板であって、コ字板の中央片６には複数の抜穴７を貫通してあけ、図１に示すように縦材２にはその抜穴７に対応する箇所に止め穴８を貫通してあけ、ラグスクリュー９を止め穴８にネジ込み、ラグスクリュー９をその外周面の雄ネジで縦材２内に固定してある。ラグスクリュー９をネジ込む際には、その端面に有する雌ネジに工具をネジ込んで使用する。そして、縦材２の側面の横幅中央部に中央片６を押し付け、ラグスクリュー９の内部の雌ネジに対して抜穴７から中央片６をネジＮで止める。ネジＮの頭部は六角ボルト等の工具を取り付けることができるようになっている。また、コ字板の底には平板状のストッパー１０を有し、コ字板の開口方向である横方向とストッパーの反対方向である上方向の二方向の範囲を、付属金物５を挿入可能な挿入範囲Ｒとし、図４に示すようにストッパー１０の上に付属金物５を載せて位置決めする。図１、図８に示すようにストッパー１０をコ字板の先部側に設けることによって、コ字板の奥部側に埃・ゴミの排出口１１を形成してある。コ字板の左片１２・右片１３にはロックピン１４（図５参照）を打ち込むロック穴１５を貫通してあけ、図３、図４に示すように付属金物５にも、ロック穴１５に対応する箇所に被ロック穴１６があけてある。なお、図面ではロック穴１５、及び被ロック穴１６は縦一列に設けてあるが、並列して設けても良い。
【００３１】
付属金物５は図９に示すようにコ字板に収容される内側体Ｕであって、内側体Ｕとして角柱状のブロックを用いている。図２に示すように付属金物５を止める横材４の端面には、その横幅中央部に連結金物１を収容する収容溝１７を上下方向に沿って形成し、収容溝１７の奥の横幅中央部には複数の丸穴１８を高さ方向に間隔をあけて形成してある。図２、図３に示すように丸穴１８にはラグスクリュー１９をネジ込み、付属金物５を収容溝１７の奥に押し当て、付属金物５の縦材面側の抜穴２０からラグスクリュー１９の雌ネジにネジ止めすると、付属金物５の両側にはコ字板の左片１２及び右片１３を収容するスペースが形成される。付属金物５の縦材面側の抜穴２０は、ネジの頭部を収容するためにザグリ形状にしてある。図２、図３に示すように横材４の側面には、ロックピン１４を打ち込むピン穴２１を、付属金物５の側面の被ロック穴１６と対応する箇所に、ロックピン１４よりも大径にあけてある。
【００３２】
従って、図４に示すように横材４の側面に縦材２の端面を押し当てるようにして、横材４の収容溝１７内に基本金物３を差し込むと、基本金物３と付属金物５が嵌まり合い、基本金物３のロック穴１５、付属金物５の被ロック穴１６、及び横材４側面のピン穴２１が一直線に貫通した状態となる。そして、図５に示すようにピン穴２１からロックピン１４を打ち込んで圧入し、ロックピン１４によって基本金物３と付属金物５を強固に剛接合する。そうすると、前述したようにピン穴２１が大径であるため、ロックピン１４によってピン穴２１の径が広がることはなく、横材４の割れを防止できる。最後に、図６（ロ）に示すように、ロックピン１４を横材４の横幅よりも短くしてあるので、ロックピン１４を隠す目隠材２２を横材４のピン穴２１に左右両側から詰める。これによってロックピン１４が火災時に火に晒されることがなくなり、耐火性能が向上する。また、図６（イ）に示すように、連結金物１の高さ幅を収容溝１７の高さよりも狭くしてあるので、連結金物１を隠す目隠材２２を収容溝の上下両側から詰める。これによって連結金物１が火災時に火に晒されることがなくなり、耐火性能が向上する。
【００３３】
本発明の木造建築用連結構造の第二例には図１０（イ）（ロ）に示すように先の例と同じ連結金物１を用いるが、先例のラグスクリュー１９の代わりにシャフト２３を用いる。シャフト２３の手前側端面に雌ネジをあけ、シャフト２３の奥側に貫通穴２４を横幅方向にあけてある。そして、横材４の側面にあけた支持穴２５からドリフトピン２６を打ち込んで貫通穴２４を貫通して、シャフト２３を収容溝１７の奥に埋設する。ドリフトピン２６は支持穴２５を少し押し広げる状態となって横材４内に収容される。そして、このシャフト２３に付属金物５を先例と同様にネジ止めする。シャフト２３は図面ではパイプ状となっているが、ムクの棒状でも良い。一方、基本金物３は縦材２の止め穴８を利用してネジ止めするが、ネジ止めにはボルト・ナット２７，２８を用いている。
【００３４】
本発明の木造建築用連結構造の第三例には図１１に示すように、先例と同じ連結金物１を用いる。この連結構造の場合は、基本金物３と付属金物５の固定対象が変わったもので、即ち、横材４の上下面に基本金物３を固定し、縦材２の端面に付属金物５を固定してある点が大きく異なる。横材４はその上下面の同一直線上に二本の縦材２を固定するために、複数の止め穴８を上下に貫通してあけ、その止め穴８にラグスクリュー９を埋設し、ラグスクリュー９の上下端面に雌ネジをあけて、各雌ネジに対して基本金物３を上又は下からネジ止めしてある。そして、基本金物３のストッパー１０によって、付属金物５の横方向への移動を規制する。一方、縦材２はその端面に収容溝１７を形成し、その収容溝１７を利用して先例と同様に付属金物５をネジ止めしてある。
【００３５】
本発明の木造建築用連結構造の第四例には図１２、図１３に示すように、先例と同じ連結金物１を用いる。この連結構造は、縦材２と斜材２９を接合するもので、縦材２の端面及びその端面の収容溝１７を斜材２９の傾きに合わせて傾斜して形成し、その収容溝１７に先例と同様に付属金物５を固定する。一方、斜材２９の下面に基本金物３を固定する際には、基本金物３のストッパー１０を屋根頂部側に向けておく。このようにすれば、縦材２の上方から斜材２９を下ろして、基本金物３に付属金物５を嵌め込んだ際に、ストッパー１０が付属金物５に引っ掛かって斜材２９が位置決めされる。
【００３６】
本発明の木造建築用連結構造の第五例には図１４に示すように、先例と同じ連結金物１を用いる。この連結構造は、縦材２と斜材２９の傾斜する端面同士を接合する点が異なるもので、それ以外は第四例と同様である。
【００３７】
本発明の木造建築用連結構造の第六例には図１５に示すように、先例と同じ連結金物１を用いる。この連結構造は、屋根頂部に用いられ、二本の斜材２９を接合する点が異なるもので、それ以外は第五例と同様である。
【００３８】
本発明の木造建築用連結構造の第七例には図１６に示すように、先例と同じ連結金物１を用いる。この連結構造は、屋根を作る際に用いられ、縦材２の上端面に対して、一つの斜材２９の端面が斜め上方に離れている配置関係に縦材２と斜材２９を予め組んでおき、その離れている縦材２と斜材２９の間に別の斜材２９を架設する点が異なる。この場合は、架設用の斜材２９の一端面を予め組んである斜材２９の端面に合わせて垂直に形成し、架設用の斜材２９の他端面を縦材２の傾斜面に合わせて傾斜して形成する。そして架設用の斜材２９の両端面に収容溝１７を端面の角度に合わせて形成し、各収容溝１７に付属金物５を止める。一方、予め組んである縦材２と斜材２９の端面には基本金物３を固定し、各基本金物３のストッパー１０を下方に向けてある点が重要である。このようにすれば、付属金物５を挿入可能な挿入範囲Ｒが、斜材２９に止めた基本金物３は上方向と横方向の二方向の範囲となり、一方、縦材２に止めた基本金物３は左右の斜め上方向の二方向の範囲となる。従って、架設用の斜材２９を降ろして来る際に厳密な位置決めは不要となり、架設用の斜材２９の端面に付いた付属金物５が各ストッパー１０に引っ掛かる程度の精度で位置決めして降ろせば、左右のストッパー１０に架設用の斜材２９の両端部が支持される。最後に、ロックピン１４を打ち込めば連結作業が完了するので、連結作業が容易になる。
【００３９】
なお、図１６に示した架設用の斜材２９の一方、例えば右側の端面に、仮に収容溝１７を形成することなく基本金物３を固定し、その基本金物３のストッパー１０を上方に配置し、予め組んである対応する部材（斜材２９）の端面に収容溝１７を形成し、収容溝１７に付属金物５を固定すれば、同様の効果が得られる。また、架設用の斜材２９の両端面に収容溝１７を形成することなく基本金物３を固定し、各基本金物３のストッパー１０を上方に配置し、予め組んである縦材２及び斜材２９の端面に収容溝１７を形成し、各収容溝１７に付属金物５を固定した場合であっても同様の効果が得られる。
【００４０】
本発明の木造建築用連結構造の第八例には、図１７から図２０に示すように、別の連結金物１を用いる。この連結金物１の基本金物５は、平面視してコ字板であるが、図１７、図１８に示すようにその左片・右片１２、１３にはロック穴１５以外に下方に抜穴３０が対向してあけてあり、対向する抜穴３０に棒状のストッパー１０を打ち込んで左右両片１２，１３にストッパー１０を架設し、そのストッパー１０の両端を左右両片１２，１３に収容し、その上部にはＵ字状の受け穴３１をあけてある。一方、付属金物５は、その底部には、ストッパー１０に嵌り合う逆Ｕ字状の凹部３２をあけ、上部には受け穴３１に対応する箇所に抜穴３３があけてあって、図１８（ロ）に示すようにその抜穴３３に係止ピン３４を打ち込んで係止ピン３４の左右端部３５を内側体（ブロック）Ｕの左右に突起状に突出しておく。なお、係止ピン３４の左右端部３５は収容溝１７に収容され、横材４の側面からは目視不能となっている。
【００４１】
この場合、縦材２への基本金物３の止め方及び横材４への付属金物５の止め方は図１７、図１８に示すように第一例と同様であるが、図１９に示すように縦材２に付いた基本金物３の上方から横材４に付いた付属金物５を落とし込んで、係止ピン３４及びストッパー１０をそれぞれ受け穴３１、凹部３２に嵌め込む点が大きく異なる。また、このようにして嵌め込んだ後は図２０に示すように先例と同様に横材４の側面のピン穴２１からロックピン１４を打ち込んで、基本金物３と連結金物１を剛接合する。
【００４２】
本発明の木造建築用連結構造の第九例には図２１に示すように、別の連結金物１を用いる。この連結金物１は、第一例の連結金物１の基本金物３のコ字板と、付属金物５の内側体（ブロック）Ｕとを恰も入れ替えたものと考えることができる。詳細に言えば、基本金物３は内側体Ｕであって、その下端部には付属金物５を位置決めする板状のストッパー１０を左右に突出し、縦材２に対する内側体Ｕの突出方向とストッパー１０の反対方向である上方向の二方向の範囲を、付属金物５を挿入可能な挿入範囲Ｒとし、側面にはロックピン用の被ロック穴１６をあけ、横材面側にはネジ止め用の抜穴２０をあけてある。一方、付属金物５は平面視してコ字板であって、ロックピン用のロック穴１５を左右両片１２，１３にあけ、中央片６にはネジ止め用の抜穴７をあけてある。なお、基本金物３と付属金物５を縦材２及び横材４に止める方法は、先例と同様に行えば良い。
【００４３】
本発明の木造建築用連結構造の第十例には図２２に示すように、別の連結金物１を用いる。この連結金物１は、先例までの内側体Ｕをブロックではなく、コ字板としたことを特徴とするものである。即ち、基本金物３を付属金物５よりも一回り小さい内側体（コ字板）Ｕで形成し、コ字板Ｕの下端にストッパー１０を設けたものである。この場合、コ字板Ｕの中央片３６を縦材２にネジ止めし、ストッパー１０の上に付属金物５を載せて、基本金物３の左右両片３７、３８が、一回り大きなコ字板の付属金物５の内側に嵌り込む。そして、付属金物５の左右両片１２，１３のロック穴１５と基本金物３の左右両片３７，３８の被ロック穴１６にロックピン１４を貫通して、縦材２と横材４を連結する。このように基本金物３と付属金物５の双方がコ字板で、しかも底側がストッパー１０によって塞がれているので、嵌り合った両者の内側にはほぼ角柱状の断熱空間３９が上向きに開口して形成されており、ロックピン１４を打ち込んだ後に断熱空間３９に発泡ウレタン等の断熱材を充填して、断熱効果を向上することができる。
【００４４】
本発明の木造建築用連結構造の第十一例には図２３に示すように、連結金物１を複数組、用いることを特徴とする。これは、横材４の高さ幅が大きい場合に使用する仕方で、丸ノコ等の切削工具で横材４の上下に収容溝１７を別々に形成し、上下の収容溝１７間には非切削領域４０を形成して木材強度の低下をできる限り抑えてある。横材端面の各収容溝１７に付属金物５を止めると、非切削領域４０が邪魔になって、一見、付属金物５を、縦材２に付けた基本金物３に嵌め込むことができないように感じる。しかし、各基本金物３は横方向を、付属金物５を挿入可能な挿入領域Ｒとしてあるので、縦材２に止めた二つの基本金物３の上下の間隔に向かって横方向から横材４の非切削領域４０を差し込めば、基本金物３に横材端面の付属金物５が嵌り合って、仮支持される。従って、最後にロックピン１４を打ち込めば、縦材２と横材４が連結される。
【００４５】
なお、図示しないが、上述した第十一例のうち、非切削領域４０を無くした構造であっても良い。つまり、横材端面に収容溝１７を上下沿って形成し、その収容溝１７に付属金物５を上下に離して止めるものであっても良い。この場合、横材４の強度は落ちるが、上下に離して縦材２に付けた基本金物３に、横材４に付けた付属金物５を嵌め込む際に、非切削領域４０が無いために、上方向と横方向の二方向の範囲を、付属金物５を挿入可能な挿入範囲Ｒとできるので、連結作業が容易に行える利点がある。
【図面の簡単な説明】
【００４６】
【図１】（イ）（ロ）図は木造建築用連結構造の第一例の施工手順を示す側面図、平面図である。
【図２】（イ）（ロ）図は木造建築用連結構造の第一例の施工手順を示す側面図、平面図である。
【図３】（イ）（ロ）図は木造建築用連結構造の第一例の施工手順を示す側面図、平面図である。
【図４】（イ）（ロ）図は木造建築用連結構造の第一例の施工手順を示す側面図、平面図である。
【図５】（イ）（ロ）図は木造建築用連結構造の第一例の施工手順を示す側面図、平面図である。
【図６】（イ）（ロ）図は木造建築用連結構造の第一例の施工手順を示す側面図、平面図である。
【図７】第一例に用いる連結金物の斜視図である。
【図８】（イ）（ロ）（ハ）（ニ）図は基本金物を示す平面図、左側面図、正面図、下面図である。
【図９】（イ）（ロ）（ハ）図は付属金物を示す平面図、左側面図、正面図である。
【図１０】（イ）（ロ）図は木造建築用連結構造の第二例の施工手順を段階を追って示す平面図である。
【図１１】木造建築用連結構造の第三例を示す側面図である。
【図１２】木造建築用連結構造の第四例の分解状態を示す側面図である。
【図１３】木造建築用連結構造の第四例の組立状態を示す側面図である。
【図１４】木造建築用連結構造の第五例を示す側面図である。
【図１５】木造建築用連結構造の第六例を示す側面図である。
【図１６】木造建築用連結構造の第七例の分解状態を示す側面図である。
【図１７】木造建築用連結構造の第八例の施工手順を示す側面図である。
【図１８】（イ）（ロ）（ハ）図は木造建築用連結構造の第八例の施工手順を示す側面図、Ａ−Ａ線断面図、Ｂ−Ｂ線断面図である。
【図１９】（イ）（ロ）（ハ）図は木造建築用連結構造の第八例の施工手順を示す側面図、Ａ−Ａ線断面図、Ｂ−Ｂ線断面図である。
【図２０】（イ）（ロ）図は木造建築用連結構造の第八例の施工手順を示す側面図、Ａ−Ａ線断面図である。
【図２１】木造建築用連結構造の第九例を示す斜視図である。
【図２２】（イ）（ロ）図は木造建築用連結構造の第十例を示す斜視図、断面図である。
【図２３】木造建築用連結構造の第十一例を示す側面図である。
【符号の説明】
【００４７】
１  連結金物
２  縦材
３  基本金物
４  横材
５  付属金物
６  中央片
８  止め穴
Ｒ  挿入範囲
１０  ストッパー
１４  ロックピン
Ｕ  内側体（ブロック、コ字板）
１７  収容溝
１９  ラグスクリュー
２１  ピン穴
２３  シャフト
２４  貫通穴
２６  ドリフトピン
２９  斜材
３１  受け穴
３２  凹部
３４  係止ピン
４０  非切削領域
【図１】
2006022566.tif 000003
【図２】
2006022566.tif 000004
【図３】
2006022566.tif 000005
【図４】
2006022566.tif 000006
【図５】
2006022566.tif 000007
【図６】
2006022566.tif 000008
【図７】
2006022566.tif 000009
【図８】
2006022566.tif 000010
【図９】
2006022566.tif 000011
【図１０】
2006022566.tif 000012
【図１１】
2006022566.tif 000013
【図１２】
2006022566.tif 000014
【図１３】
2006022566.tif 000015
【図１４】
2006022566.tif 000016
【図１５】
2006022566.tif 000017
【図１６】
2006022566.tif 000018
【図１７】
2006022566.tif 000019
【図１８】
2006022566.tif 000020
【図１９】
2006022566.tif 000021
【図２０】
2006022566.tif 000022
【図２１】
2006022566.tif 000023
【図２２】
2006022566.tif 000024
【図２３】
2006022566.tif 000025